(57)【要約】【課題】生花等の植物と一体化した装飾が可能であり、且つ扱いが容易な植物用装飾物を提供する。【解決手段】  生花用装飾物１は、例えば、生花３の茎５側を囲い込んで保持する第１装飾部１１と、人形の頭部をイメージした第２装飾部１３と、人形の胴体部をイメージした第３装飾部１５を有する。第１装飾部１１、第２装飾部１３および第３装飾部１５を分離した状態で袋などに入れられて販売される。【選択図】  図１
2013233408.tif 000002
【特許請求の範囲】
【請求項１】
長手体を着脱自在に装着可能であり、
貫通孔に前記長手体を挿入した状態で当該長手体に固定される
装飾物。
【請求項２】
前記長手体を挿入し、内径が固定の貫通孔を備えた本体
を有する請求項１に記載の装飾物。
【請求項３】
開状態で前記長手体を内側に位置させ、所定の付勢力に応じて閉状態となって前記長手体を挟み込んで固定する
請求項１に記載の装飾物。
【請求項４】
前記長手体は、植物の茎である
請求項１または請求項２に記載の装飾物。
【請求項５】
前記貫通孔に前記茎を貫通した状態で前記茎に沿った移動を規制する移動規制手段
をさらに有する請求項４記載の装飾物。
【請求項６】
前記貫通孔に対して外側から達する電極挿入用孔と、
前記貫通孔に前記茎が貫通した状態で、前記電極挿入用孔に着脱可能に挿入され、挿入された状態で、前記茎に突き刺す先端が尖ったガラス管からなる茎用ガラス電極と、
前記茎用ガラス電極の電位と、所定の基準電位との間の電圧を検出する電圧検出手段と
をさらに有する請求項５に記載の装飾物。
【請求項７】
前記ガラス電極の先端は、直径１μｍ以下の孔が設けられ、
前記ガラス管内には２〜４ｍｏｌ／ｌの塩化カリウム溶液が充填されており、
前記塩化カルシウム溶液内に一端が位置し、他端が前記電圧検出手段に接続された銀線を有する
請求項６に記載の装飾物。
【請求項８】
前記植物の葉の表面に突き刺す先端が尖ったガラス管からなる葉用ガラス電極
をさらに有し、
前記電圧検出手段は、
前記葉用ガラス電極の電位を前記基準電位として用いて前記電圧を検出する
請求項６または請求項７に記載の装飾物。
【請求項９】
前記電圧検出手段が検出した前記電圧に応じた出力を行う出力手段
をさらに有する請求項８に記載の装飾物。
【請求項１０】
各々が前記貫通孔を備えた複数の装飾部を組み合わせて構成された
請求項２または請求項３に記載の装飾物。
【発明の詳細な説明】
【技術分野】
【０００１】
本発明は、植物等を装飾する装飾物に関する。
【背景技術】
【０００２】
従来のアレンジメント装飾用のピックは、オーナメントに長い針金等の尖ったものを差し込む物が多い。
【発明の開示】
【発明が解決しようとする課題】
【０００３】
しかしながら、上述した従来のアレンジメント装飾用のピックは、先端が尖っているため、取り扱いに注意を要する。また、植物と一体化したデザインにはなっていない。
また、植物以外でも、ストロー等の長手体においても、その長手体と一体となった装飾物を着脱可能に取り付けたいという要請がある。
また、植物の生体情報を高精度に取得し、その情報を出力したいという要請がある。しかしながら、従来の手法では、植物の生体情報を高精度に取得できないという問題がある。
【０００４】
上述した従来技術の問題点を解決し、上述した目的を達成するため、生花等の植物やストロー等の長手体と一体化した装飾が可能であり、且つ扱いが容易な装飾物を提供することを目的とする。
また、本発明は、植物の生体情報を高精度に取得することができる装飾物を提供することを目的とする。
【課題を解決するための手段】
【０００５】
上述した従来技術の問題点を解決し、上述した目的を達成するため、本発明の装飾物は、長手体を着脱自在に装着可能であり、貫通孔に前記長手体を挿入した状態で当該長手体に固定される。
好適には、本発明の装飾物では、前記長手体は、植物の茎である。
好適には、本発明の装飾物は、植物に装着される装飾品であって、植物の茎が貫通する貫通孔を有する。
【０００６】
好適には、本発明の装飾物は、前記貫通孔に前記茎を貫通した状態で前記茎に沿った移動を規制する移動規制手段をさらに有する。
【０００７】
好適には、本発明の装飾物は、前記貫通孔に対して外側から達する電極挿入用孔と、前記貫通孔に前記茎が貫通した状態で、前記電極挿入用孔に着脱可能に挿入され、挿入された状態で、前記茎に突き刺す先端が尖ったガラス管からなる茎用ガラス電極と、前記茎用ガラス電極の電位と、所定の基準電位との間の電圧を検出する電圧検出手段とをさらに有する。
【発明の効果】
【０００８】
本発明によれば、生花等の植物やストロー等の長手体と一体化した装飾が可能であり、且つ扱いが容易な装飾物を提供することができる。
また、本発明によれば、植物の生体情報を高精度に取得することができる装飾物を提供することができる。
【図面の簡単な説明】
【０００９】
【図１】図１は、本発明の第１実施形態に係る生花用装飾物の生花に装着した状態での正面図である。
【図２】図２は、図１に示す生花用装飾物に形成された茎貫通孔を説明するための図である。
【図３】図３は、図１に示す生花用装飾物の側面図である。
【図４】図４は、図１に示す生花用装飾物の分解斜視図である。
【図５】図５は、本発明の生花用装飾物のその他の例を説明するための図である。
【図６】図６は、本発明の第２実施形態の生花用装飾物の外観的な構成を説明するための図である。
【図７】図７は、茎用ガラス電極を説明するための図である。
【図８】図８は、生花用装飾物のシステム的な構成図である。
【図９】図９は、本発明の第３実施形態に係る生花用装飾物を生花に装着した状態の図である。
【図１０】図１０は、図９に示す生花用装飾物の正面図である。
【図１１】図１１は、図９に示す生花用装飾物の背面図である。
【図１２】図１２は、図９に示す生花用装飾物の底面図である。
【図１３】図１３は、本発明の第４実施形態に係る装飾物をストローに装着した状態での正面図である。
【発明を実施するための最良の形態】
【００１０】
［第１実施形態］
以下、本発明の実施形態に係る生花用装飾物（アレンジメント装飾用のピック）を、図面を参照しながら説明する。
図１は本発明の実施形態に係る生花用装飾物１の生花に装着した状態での正面図、図２は図１に示す生花用装飾物１に形成された茎貫通孔を説明するための図、図３は図１に示す生花用装飾物１の側面図、図４は生花用装飾物１の分解斜視図である。
【００１１】
図１および図２に示すように、生花用装飾物１は、生花３の茎５に装着され、生花３と一体となって装飾効果を発揮する。
図３に示すように、生花用装飾物１は、例えば、生花３の茎５側を囲い込んで保持する第１装飾部１１と、人形の頭部をイメージした第２装飾部１３と、人形の胴体部をイメージした第３装飾部１５を有する。
【００１２】
図４に示すように、第１装飾部１１は、中央に開口部１１ａが形成され王冠をイメージした形状を有しており、図１および図２に示すように、生花用装飾物１を生花３に装着した状態で生花３の茎５側を囲い込むように位置し、生花３および茎５と一体となって装飾効果を発揮する。
【００１３】
第２装飾部１３は、図２に示すように、中心軸に略沿った茎貫通孔１３ａが形成されており、人形の頭部をイメージした形状をしている。
第３装飾部１５は、図２に示すように、中心軸に略沿った茎貫通孔１５ａが形成されており、人形の胴体部をイメージした形状をしている。
【００１４】
生花用装飾物１は、図４に示すように第１装飾部１１、第２装飾部１３および第３装飾部１５を分離した状態で袋などに入れられて販売される。
【００１５】
生花用装飾物１のユーザは、例えば、生花用装飾物１を生花３および茎５に装着する際に、先ず、第１装飾部１１を図１に示す姿勢で第１装飾部１１の開口部１１ａに茎５を挿入して生花３の位置まで移動する。
次に、ユーザは、第２装飾部１３の茎貫通孔１３ａに茎５を貫通させて第１装飾部１１の位置まで移動する。
次に、ユーザは、第３装飾部１５の茎貫通孔１５ａに茎５を貫通させて第２装飾部１３の位置まで移動する。
本実施形態において、開口部１１ａ、茎貫通孔１３ａ、並びに茎貫通孔１５ａは、その内径が固定である。
【００１６】
開口部１１ａ，茎貫通孔１３ａ，１５ａのサイズは、取り付け対象の茎５の直径に応じて適宜決定される。
【００１７】
これにより、生花３および茎５に生花用装飾物１が装着される。
【００１８】
生花用装飾物１によれば、先端に尖った箇所がないため、安全あり、取り扱いが容易である。
また、生花用装飾物１によれば、生花３および茎５に直接取り付けられるため、生花３および茎５と一体となって装飾効果を発揮できる。生花用装飾物１を生花３および茎５に装着して展示することで、ユーザの購買意欲を喚起できる。
【００１９】
［第２実施形態］
図６は、本発明の第２実施形態の生花用装飾物１０１の外観的な構成を説明するための図である。図７は、茎用ガラス電極１２０を説明するための図である。図８は生花用装飾物１０１のシステム的な構成図である。
図６に示すように、生花用装飾物１０１は、前述した第１実施形態の生花用装飾物１の外観と基本的には同じである。生花用装飾物１０１は、第３装飾部１５に、外側表面から茎貫通孔１５ａに達する電極挿入用孔１５ｂが設けられている。
【００２０】
電極挿入用孔１５ｂには、茎５を茎貫通孔１３ａに貫通して生花用装飾物１０１を茎５に装着及び固定した後に、茎用ガラス電極１２０の先端を、茎５に対して突き刺すために用いられる。
茎用ガラス電極１２０は、図７に示すように、先細のガラス管１２１で構成され、その先端に直径１μｍ以下の孔１２１ａが形成されている。
茎用ガラス電極１２０は、電極挿入用孔１５ｂを出し入れ可能である。
【００２１】
茎用ガラス電極１２０のガラス管内には、２〜４ｍｏｌ／ｌの塩化カリウム溶液１２３が充填されている。
植物細胞の大きさは、数十〜数百μｍのものが多く、細胞の基本活動に影響を与えずに細胞内に電極を挿入するためには、電極の先端が直径１μｍ以下であることが必要である。ガラス管１２１内には、２〜４ｍｏｌ／ｌという高濃度の塩化カルシウム溶液１２３を充填するのは、電極の先端の孔が非常に小さいため、低濃度溶液の充填によって電極自体の内部抵抗がさらに高くことを防止するためである。
【００２２】
上記ガラス管１２１内の塩化カルシウム溶液１２３内には、銀線１３０の一端が位置している。
銀線１３０の他端は、電圧検出部１４０に接続されている。
電圧検出部１４０は、銀線１３０の電位（茎用ガラス電極１２０の先端の茎５の電位）と、所定の基準電位との間の電圧を検出する。
電圧検出部１４０は、例えば、デジタルマルチメータである。
【００２３】
出力部１５０は、電圧検出部１４０で検出した電圧に基づいて、予め決められた出力処理を行う。
出力処理は、例えば、表示手段への電圧値の表示、あるいはコンピュータへの電圧データの送信処理である。
また、人形の頭や胴体部に所定の動作を行わせるための駆動手段を備えている場合には、出力処理として、当該駆動手段の駆動制御をしてもよい。
また、出力処理は、例えば、植物のストレスの度合を示すストレス値と電圧値との対応関係を予め規定したテーブルデータを基に、上記検出した電圧値に対応したストレス値を特定し、それを表示する処理である。
【００２４】
生花用装飾物１０１では、茎５の電位を測定することで、生花の生体情報をリアルタイムで取得し、それを出力することができる。
【００２５】
以下、上述した第２実施形態の変形例を説明する。
本実施形態では、図８に示すように、生花の葉の表面に突き刺す先端が尖ったガラス管からなる葉用ガラス電極１６０をさらに有している。
葉用ガラス電極１６０の構成は、前述した茎用ガラス電極１２０と同じである。
複数の葉用ガラス電極１６０は、それぞれ複数の異なる葉２００に取り付けられる。
各々の葉用ガラス電極１６０のガラス管内の塩化カルシウム溶液内には、銀線１７０の一端が位置している。
銀線１７０の他端は、電圧検出部１４０に接続されている。
電圧検出部１４０は、各々の葉用ガラス電極１６０の銀線１７０の電位と、茎用ガラス電極１２０の銀線１３０の電位との間の電圧を検出する。
このように各葉２００の電位と、茎の電位（基準電位）とを比較して電圧を検出することで、各葉の生体情報を個別に取得できるとともに、それを出力できる。
【００２６】
＜第３実施形態＞
図９は、本発明の第３実施形態に係る生花用装飾物４０１を生花に装着した状態の図である。
図１０は図９に示す生花用装飾物４０１の正面図、図１１は図９に示す生花用装飾物４０１の背面図、図１２は図９に示す生花用装飾物４０１の底面図である。
図１０に示すように、生花用装飾物４０１は、クリップ４１２を備えている。
ユーザが指等でクリップ４１２の把持部４１３を掴んでバネ４１５の付勢力に抗して開状態にし、茎５を内側に位置させて指を離す。これにより、バネ４１５の付勢力に応じてクリップ４１２が閉状態となって茎５を挟み込んで固定される。
本実施形態によれば、バネ４１５の付勢力によって生花用装飾物４０１が茎５に安定した状態で装着（固定）される。
本実施形態によっても、生花用装飾物４０１は、生花３の茎５に装着され、生花３と一体となって装飾効果を発揮する。
【００２７】
＜第４実施形態＞
図１３は、本発明の第４実施形態に係る装飾物をストローに装着した状態での正面図である。
図１３に示すように、本実施形態では、装飾部１をストロー５０５に固定する。
装飾部１のストリー５０５への取り付け構成は、上述した第１の実施形態で説明したものと同じである。
本実施形態によれば、ストロー５０５を装飾でき、商品・サービス価値を高めることができる。
【００２８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、王冠をかぶった人形をイメージした形状を例示したが、それ以外に図５に示すようなハート型、筒状、板状等、形状は特に限定されない。
【００２９】
また、上述した実施形態では、第１装飾部１１、第２装飾部１３および第３装飾部１５の２つの装飾部を組み合わせたものを例示したが、２つ、あるいは４つ以上の装飾部を組み合わせたものでもよいし、１つの装飾部のみから構成されていてもよい。
【００３０】
また、第３装飾部１５の図中下側に第３装飾部１５が茎５に沿って下方に移動しないように、第３装飾部１５の移動を規制するクリップ等の移動規制手段を設けてもよい。
また、本発明の装飾物は、上述したような植物やストロー以外の長手体に着脱可能に装着してもよい。
【産業上の利用可能性】
【００３１】
本発明は、例えば、生花などの花の装飾物に適用可能である。
【符号の説明】
【００３２】
１…生花用装飾物
３…生花
５…茎
１１…第１装飾部
１３…第２装飾部
１５…第３装飾部
４１２…クリップ
４１３…把持部
４１５…バネ
５０５…ストロー
【図１】
2013233408.tif 000003
【図２】
2013233408.tif 000004
【図３】
2013233408.tif 000005
【図４】
2013233408.tif 000006
【図５】
2013233408.tif 000007
【図６】
2013233408.tif 000008
【図７】
2013233408.tif 000009
【図８】
2013233408.tif 000010
【図９】
2013233408.tif 000011
【図１０】
2013233408.tif 000012
【図１１】
2013233408.tif 000013
【図１２】
2013233408.tif 000014
【図１３】
2013233408.tif 000015